(57)【特許請求の範囲】
【請求項１】
携帯機器に内蔵されたトランスポンダにコントロールユニットからＩＤコード要求信号を伝送して、該トランスポンダからのＩＤコードを読み取り、そのＩＤコードと前記コントロールユニットのメモリに記憶された複数の登録ＩＤコードと照合するトランスポンダのＩＤコード照合方法において、
ＩＤコード要求信号を前記トランスポンダに伝送し、それに対してトランスポンダから返送されるＩＤコードと、前記コントロールユニットのメモリに記憶された登録ＩＤコードとの照合において一致したとき、その一致した登録ＩＤコードを前記メモリのうちの読み取り開始番地に記憶せしめることを特徴とするトランスポンダのＩＤコード照合方法。
【請求項２】
固有のＩＤコードが設定されて、携帯機器に内蔵されたトランスポンダと、該トランスポンダにＩＤコード要求信号を伝送し、それに対して前記トランスポンダから返送されるＩＤコードを受信する送受信機と、複数の登録ＩＤコードを記憶するメモリと、該メモリに記憶された登録ＩＤコードを順番に読み取り、その読み取った登録ＩＤコードと前記送受信機によって受信されたＩＤコードとを照合する照合手段とを備え、その照合結果に応じて盗難防止機構を制御する盗難防止装置において、
前記照合手段による照合においてＩＤコードの一致が確認されたとき、その照合に使用された登録ＩＤコードを、前記メモリに記憶された複数の登録ＩＤコードのうち最初に読み取られる登録ＩＤコードが記憶される番地に記憶せしめることを特徴とする盗難防止装置。
【請求項３】
前記照合手段による照合においてＩＤコードの一致が確認されたとき、エンジンを始動せしめると共に、その照合に使用された登録ＩＤコードを、前記メモリに記憶された複数の登録ＩＤコードのうち最初に読み取られる登録ＩＤコードが記憶される番地に記憶せしめることを特徴とする請求項２記載の盗難防止装置。
【発明の詳細な説明】
【０００１】
【発明の属する技術分野】
本発明は、それぞれに固有のＩＤコードが設定された複数のキーを用いて１つのユニットを共通に使用できる、例えば車両の盗難防止装置に用いられるＩＤコードの照合方法及びそれを用いた電子キーシステムに関する。
【０００２】
【従来の技術】
この種のものとして、例えば複数のＩＤコードを登録可能な盗難防止装置を図４乃至図６に基づいて以下に説明する。
すなわち、キー１がキーシリンダに挿入され、キースイッチ２がオンされると、ＣＰＵ３はそれを受けて、アンプ回路４に励磁信号を出力し、アンテナ５によりキー１のトランスポンダ６の電源回路を充電し、トランスポンダ６を作動状態にする。その結果、トランスポンダ６は、固有に設定されたＩＤコードをアンテナ５、アンプ回路４を介してＣＰＵ３に返送する。
【０００３】
それによって、ＣＰＵ３は、複数の登録ＩＤコードを記憶しているＥＥＰＲＯＭ等のメモリ７から登録ＩＤコードを、先頭アドレス、すなわち図５に示すように第１アドレス、第２アドレス、第３アドレス、第４アドレス、第５アドレスの如くアドレスの小さい順に従って順次読み出し、その読み出した登録ＩＤコードの順番に従って返送されてきたＩＤコードと照合し、返送されてきたＩＤコードが読み出された登録ＩＤコードの何れかに一致した場合には、エンジン始動開始等の指令信号をインジェクタ、イグナイタ８に供給する。
【０００４】
すなわち、返送されてきたＩＤコードを、まず一番小さい第１アドレスに記憶された登録ＩＤコード「ａｂｃｄｅ」と照合し、一致しなかった場合、次に大きい第２アドレスに記憶された登録ＩＤコード「ｂｃｄｅｆ」と照合し、一致しなかった場合、さらに大きな第３アドレスに記憶された登録ＩＤコード「ｃｄｅｆｇ」と照合し、一致しなかった場合、またさらに大きな第４アドレスに記憶された登録ＩＤコード「ｄｅｆｇｈ」と照合する。そして一致しなかった場合には、最も大きな第５アドレスに記憶されていた登録ＩＤコード「ｅｆｇｈｉ」と照合する。そして、いずれの登録ＩＤコードとも一致しなかった場合にはエンジン始動開始等の指令信号はインジェクタ、イグナイタ８に供給されない。
【０００５】
次に、上記構成により図６に基づいて次のような作動する。
キー１がキーシリンダに挿入され、キースイッチ２がオンされると、ステップ１００からステップ１１０に進み、ＣＰＵ３はキースイッチ２がオンされたと判断すると、その後、ステップ１２０で、ＣＰＵ３はアンプ回路４に励磁信号を出力し、アンテナ５によりキー１のトランスポンダ６の電源回路を充電し、トランスポンダ６を作動状態にする。その後、ステップ１３０でＣＰＵ３は、トランスポンダ６に対して、ＩＤコード要求信号をアンテナ５、アンプ回路４を介し送信する。それと同時にステップ１４０では、ＣＰＵ３がメモリ７から登録ＩＤコード「ａｂｃｄｅ」を先頭アドレスである第１アドレスの読み取り、さらにステップ１５０で、トランスポンダ６から返送されたＩＤコードを読み取って、さらにステップ１６０で照合し、双方が一致した場合には、そのキー操作は有効なものと判断してステップ１７０でキー１の回転を可能にし、キー１が回転されることによってステップ１８０でエンジン始動開始許可がインジェクタ、イグナイタ８に対して与えられる。
【０００６】
一方ステップ１６０において、双方のＩＤコードが一致しなかった場合には、ステップ１２０に戻り、再度上記動作を繰り返す。なお、上記動作を繰り返すにあたりステップ１４０に進む度にメモり７から読み取り登録ＩＤコードは第２アドレス、第３アドレス、第４アドレスの順に読み取られる。
【０００７】
【発明が解決しようとする課題】
しかしながら、上述したような盗難防止装置においては、例えば図７（Ａ）に示すように時刻ｔ0 でキー１が回転され、イグニッションスイッチがオン状態になり、区間Ｔ１の間にＩＤコードの照合が完了した後に、例えばクランキングの異常により、時刻ｔ1 の時点で電源電圧がＣＰＵ３の駆動が保証されている電圧以下に低下した場合には、ＣＰＵ３がリセットされてしまうことにより、ＩＤコードの照合が終了していることもリセットされてしまうので、電源電圧が復帰した時刻ｔ2 の時点で再度同一動作を繰り返さなくてはエンジンの始動を行うことが出来ない。
そのために、例えば、前回の照合で、第５アドレスに記憶されていた登録ＩＤコードに一致していた場合には、再度第１アドレスから第５アドレスまでの全ての登録ＩＤコードの照合を行わなくてはならず、時間がかかるという問題があった。
【０００８】
そこで、この発明は、ＩＤコードの照合完了後に再度照合しなくてはならなくなったときには、短時間で照合が終了するようにすることを目的とする。
【０００９】
【課題を解決するための手段】
第１の発明は、携帯機器に内蔵されたトランスポンダにコントロールユニットからＩＤコード要求信号を伝送して、該トランスポンダからのＩＤコードを読み取り、そのＩＤコードと前記コントロールユニットのメモリに記憶された複数の登録ＩＤコードと照合するトランスポンダのＩＤコード照合方法において、
ＩＤコード要求信号を前記トランスポンダに伝送し、それに対してトランスポンダから返送されるＩＤコードと、前記コントロールユニットのメモリに記憶された登録ＩＤコードとの照合において一致したとき、その一致した登録ＩＤコードを前記メモリのうちの読み取り開始番地に記憶せしめることを特徴とするトランスポンダのＩＤコード照合方法である。
【００１０】
第２の発明は、固有のＩＤコードが設定されて、携帯機器に内蔵されたトランスポンダと、該トランスポンダにＩＤコード要求信号を伝送し、それに対して前記トランスポンダから返送されるＩＤコードを受信する送受信機と、複数の登録ＩＤコードを記憶するメモリと、該メモリに記憶された登録ＩＤコードを順番に読み取り、その読み取った登録ＩＤコードと前記送受信機によって受信されたＩＤコードとを照合する照合手段とを備え、その照合結果に応じて盗難防止機構を制御する盗難防止装置において、
前記照合手段による照合においてＩＤコードの一致が確認されたとき、その照合に使用された登録ＩＤコードを、前記メモリに記憶された複数の登録ＩＤコードのうち最初に読み取られる登録ＩＤコードが記憶される番地に記憶せしめることを特徴とする盗難防止装置である。
【００１１】
第３の発明は、第２の発明における照合手段による照合でＩＤコードの一致が確認されたとき、エンジンを始動せしめると共に、その照合に使用された登録ＩＤコードを、前記メモリに記憶された複数の登録ＩＤコードのうち最初に読み取られる登録ＩＤコードが記憶される番地に記憶せしめることを特徴とする盗難防止装置である。
【００１２】
【発明の実施の形態】
実施の形態１．
この実施の形態を図１乃至図３に基づいて説明する。
キー１１がキーシリンダに挿入され、キースイッチ１２がオンされると、ＣＰＵ１３はそれを受けて、アンプ回路１４に励起信号を出力し、アンテナコイル１５によりキー１１の把持部に埋設されたトランスポンダ１６の電源回路を充電し、トランスポンダ１６を作動状態にする。その結果、トランスポンダ１６は、前記ＣＰＵ１３からＩＤコード要求信号の供給を受けると前記キー１１毎に固有に設定されたＩＤコードをアンテナ１５、アンプ回路１４を介してＣＰＵ１３に返送する。
【００１３】
一方、ＣＰＵ１３は、複数の登録ＩＤコードを記憶しているＥＥＰＲＯＭ等のメモリ１７から登録ＩＤコードを、従来と同様に先頭アドレス、すなわち図２に示すように第１アドレスの「ａｂｃｄｅ」、第２アドレスの「ｂｃｄｅｆ」、第３アドレスの「ｃｄｅｆｇ」、第４アドレスの「ｄｅｆｇｈ」、第５アドレスの「ｅｆｇｈｉ」の如くアドレスの小さい方から順に、双方が一致するまで読み出し、その読み出した登録ＩＤコードの順番に従って返送されてきたＩＤコードと照合し、返送されてきたＩＤコードが登録ＩＤコード「ａｂｃｄｅ」，「ｂｃｄｅｆ」，「ｃｄｅｆｇ」，「ｄｅｆｇｈ」又は「ｅｆｇｈｉ」のうちの何れかに一致した場合には、エンジン始動開始等の指令信号をインジェクタ、イグナイタ１８に供給する。
【００１４】
なお、ＣＰＵ１３は、返送されてきたＩＤコードが何れかの登録ＩＤコード「ａｂｃｄｅ」，「ｂｃｄｅｆ」，「ｃｄｅｆｇ」，「ｄｅｆｇｈ」又は「ｅｆｇｈｉ」のいずれか、例えば「ｅｆｇｈｉ」が一致した場合、図２に示すように第１アドレスの登録ＩＤコードは、照合前の「ａｂｃｄｅ」から一致した第５アドレスの「ｅｆｇｈｉ」に入れ替わり、前回第１アドレスに記憶されていた登録ＩＤコード「ａｂｃｄｅ」は第２アドレスに、前回第２アドレスに記憶されていた登録ＩＤコード「ｂｃｄｅｆ」は第３アドレスに、前回第３アドレスに記憶されていた「ｃｄｅｆｇ」は第４アドレスに、前回第４アドレスに記憶されていた「ｄｅｆｇｈ」は第５アドレスに記憶される。
【００１５】
なお、ＣＰＵ１３は、返送されてきたＩＤコードが登録ＩＤコード「ａｂｃｄｅ」、「ｂｃｄｅｆ」、「ｃｄｅｆｇ」、「ｄｅｆｇｈ」、「ｅｆｇｈｉ」のいずれの登録ＩＤコードにも一致しなかった場合にはエンジン始動開始等の指令信号はインジェクタ、イグナイタ１８に供給されない。
【００１６】
次に、上記構成により、図３に示すフローチャートに基づいて次のような作動する。
キー１１がキーシリンダに挿入され、キースイッチ１２がオンされると、ステップ１００からステップ１１０に進み、ＣＰＵ１３はキースイッチ１２がオンされたと判断すると、その後ステップ１２０で、ＣＰＵ１３はアンプ回路１４に励磁信号を出力し、アンテナ１５を介してキー１１のトランスポンダ１６の電源回路を充電し、トランスポンダ１６を作動状態にする。
【００１７】
その後、ステップ１３０でＣＰＵ１３はＩＤコード要求信号をトランスポンダ１６に対して出力するので、トランスポンダ１６は、固有のＩＤコードをアンテナ１５、アンプ回路１４を介してＣＰＵ１３に返送する。
【００１８】
一方ＣＰＵ１３では、ステップ１４０でメモリ１７から登録ＩＤコード「ａｂｃｄｅ」を先頭アドレスである第１アドレスから読み取り、さらにステップ１５０で、トランスポンダ１６から返送されたＩＤコードを読み取って、ステップ１６０で、ＣＰＵ１３はステップ１４０で読み取った登録ＩＤコードと照合し、一致しなかった場合には、ステップ１２０に戻り、再度上記動作を繰り返す。なお、この照合動作は双方が一致するまで続けられる。
【００１９】
そしてステップ１６０において一致した場合には、一致した登録ＩＤコード、例えば図２に示す第５アドレスに記憶されていた登録ＩＤコード「ｅｆｇｈｉ」が一致した場合には、その登録ＩＤコード「ｅｆｇｈｉ」を第１アドレスに記憶せしめる。その後、ステップ１７０でキー１１の回転を可能にし、キー１１が回転されることによってステップ１８０でエンジン始動開始許可が与えられる。
【００２０】
前記の如く正常にＩＤコードの照合が行われた直後に、例えばエンジン始動に伴うクランキング時の電圧低下によってＣＰＵ１３がパワーオンリセットされた場合には、前回のＩＤコードの照合におけるステップ２００でメモリ７の先頭アドレスである第１アドレスに前回の照合で一致した登録ＩＤコードが記憶されているので、ステップ１６０でＩＤコードが一致していると判断される登録ＩＤコードがステップ１４０で最初に読み取られるので、ステップ１２０に戻らなくても済み、短時間に照合が終了する。
【００２１】
【発明の効果】
第１の発明によれば、次回の照合時間を短くできる方法を得ることができる。
第２の発明によれば、従来装置のプログラムを変更するだけで、次回の照合時間を短くできる装置を容易に得ることができる。
第３の発明によれば、照合完了後にエンジンが停止した場合の次回の照合時間を短くできる装置を容易に得ることができる。
【図面の簡単な説明】
【図１】本発明による盗難防止装置の回路ブロック説明図である。
【図２】図１に示したＥＥＰＲＯＭ１７の関数の記憶状態の説明図である。
【図３】図１に示す回路ブロックの作動を説明するためのフローチャート図である。
【図４】従来の盗難防止装置の回路ブロック説明図である。
【図５】図４に示したＥＥＰＲＯＭ７の関数の記憶状態の説明図である。
【図６】図４に示す回路ブロックの作動を説明するためのフローチャート図である。
【図７】従来の問題点及び本発明を説明するための説明図である。
【符号の説明】
１１  キー
１２  キースイッチ
１３  ＣＰＵ
１４  アンプ回路
１５  アンテナコイル
１６  トランスポンダ
１７  ＥＥＰＲＯＭ（メモリ）
１８  インジェクタ、イグナイタ
【図１】
0004008140.tif 000002
【図２】
0004008140.tif 000003
【図３】
0004008140.tif 000004
【図４】
0004008140.tif 000005
【図５】
0004008140.tif 000006
【図６】
0004008140.tif 000007
【図７】
0004008140.tif 000008